(57)【要約】  開示する実施形態は、受信信号の相関を実行する方法および装置に関する。第１の相関器（１０８）は、受信信号の第１の特徴部の実数部について相関をとって、第１の実数相関信号を生成することができる。第２の相関器（１１０）は、受信信号の第１の特徴部の虚数部について相関をとって、第１の虚数相関信号生成することができる。第３の相関器（１１４）は、受信信号の第２の特徴部の実数部について相関をとって、第２の実数相関信号を生成することができる。第４の相関器（１１６）は、受信信号の第２の特徴部の虚数部について相関をとって、第２の虚数相関信号を生成することができる。論理部（１１８）は、第１の実数相関信号に対応する信号、第１の虚数相関信号に対応する信号、第２の実数相関信号および第２の虚数相関信号を結合して、周波数調整信号の実数部および周波数調整信号の虚数部を生成することができる。
2007525101.tif 000002
【特許請求の範囲】
【請求項１】
受信信号の相関を実行する装置であって、
前記受信信号の第１の特徴部の実数部について相関をとって、第１の実数相関信号を生成する第１の相関器１０８と、
前記受信信号の前記第１の特徴部の虚数部について相関をとって、第１の虚数相関信号を生成する第２の相関器１１０と、
前記受信信号の第２の特徴部の実数部について相関をとって、第２の実数相関信号を生成する第３の相関器１１４と、
前記受信信号の前記第２の特徴部の虚数部について相関をとって、第２の虚数相関信号を生成する第４の相関器１１６と、
前記第１の実数相関信号に対応する信号、前記第１の虚数相関信号に対応する信号、前記第２の実数相関信号および前記第２の虚数相関信号を結合して、周波数調整信号の実数部および前記周波数調整信号の虚数部を生成する論理部１１８とを含む、前記装置。
【請求項２】
前記第１の実数相関信号および前記第２の実数相関信号を受信し、前記第１の実数相関信号に対応する前記信号および前記第１の虚数相関信号に対応する前記信号を生成する周波数調整ブロック１１２をさらに含む、請求項１に記載の装置。
【請求項３】
前記周波数調整ブロックが、１次同期コード（ＰＳＣ）周波数調整ブロックを含む、請求項２に記載の装置。
【請求項４】
前記第１の相関器および前記第２の相関器が、１次同期コード（ＰＳＣ）相関器を含む、請求項１に記載の装置。
【請求項５】
前記第３の相関器および前記第４の相関器が、２次同期コード（ＳＳＣ）ｂ相関器を含む、請求項１に記載の装置。
【請求項６】
前記第１の特徴部が、１次ＳＣＨチャネルのａシーケンスに対応する、請求項１に記載の装置。
【請求項７】
前記第２の特徴部が、２次ＳＣＨチャネルのｂシーケンスに対応する、請求項１に記載の装置。
【請求項８】
符号分割多重アクセス受信機の一部分を構成する、請求項１に記載の装置。
【請求項９】
ユニバーサル移動通信システム（ＵＭＴＳ）／広帯域符号分割多重アクセス（ＷＣＤＭＡ）標準に準拠した受信機の一部分を構成する、請求項１に記載の装置。
【請求項１０】
符号分割多重アクセス（ＣＤＭＡ）信号を受信するＣＤＭＡ受信機であって、
ＣＤＭＡ信号を受信し、前記ＣＤＭＡ信号をディジタル信号に変換するアナログ・ディジタル変換器１２、
前記ディジタル信号をフィルタリングして、フィルタリング済みディジタル信号を生成する整合フィルタ１４、
前記フィルタリング済みディジタル信号を受信して、遅延したフィルタリング済みディジタル信号を生成するタップ付き遅延線１６、ならびに
前記遅延したフィルタリング済みディジタル信号の少なくとも一部分を、前記受信信号の第１の特徴部の実数部について相関をとって、第１の実数相関信号を生成する第１の相関器１０８と、
前記遅延したフィルタリング済みディジタル信号の少なくとも一部分を、前記受信信号の前記第１の特徴部の虚数部について相関をとって、第１の虚数相関信号生成する第２の相関器１１０と、
前記遅延したフィルタリング済みディジタル信号の少なくとも一部分を、前記受信信号の第２の特徴部の実数部について相関をとって、第２の実数相関信号を生成する第３の相関器１１４と、
前記遅延したフィルタリング済みディジタル信号の少なくとも一部分を、前記受信信号の前記第２の特徴部の虚数部について相関をとって、第２の虚数相関信号を生成する第４の相関器１１６と、
前記第１の実数相関信号に対応する信号、前記第１の虚数相関信号に対応する信号、前記第２の実数相関信号および前記第２の虚数相関信号を結合して、周波数調整信号の実数部および前記周波数調整信号の虚数部を生成する論理部１１８と
を含むセル・サーチ・ブロックを含む、前記ＣＤＭＡ受信機。
【請求項１１】
前記第１の実数相関信号および前記第２の実数相関信号を受信し、前記第１の実数相関信号に対応する前記信号および前記第１の虚数相関信号に対応する前記信号を生成する周波数調整ブロック１１２をさらに含む、請求項１０に記載のＣＤＭＡ受信機。
【請求項１２】
前記周波数調整ブロックが、１次同期コード（ＰＳＣ）周波数調整ブロックを含む、請求項１１に記載のＣＤＭＡ受信機。
【請求項１３】
前記第１の相関器および前記第２の相関器が、１次同期コード（ＰＳＣ）相関器を含む、請求項１０に記載のＣＤＭＡ受信機。
【請求項１４】
前記第３の相関器および前記第４の相関器が、２次同期コード（ＳＳＣ）ｂ相関器を含む、請求項１０に記載のＣＤＭＡ受信機。
【請求項１５】
受信信号の相関を実行する方法であって、
前記受信信号の第１の特徴部に対して相関をとって、第１の相関信号を生成するステップ（１０８、１１０）と、
前記受信信号の第２の特徴部に対して相関をとって、第２の相関信号を生成するステップ（１１４、１１６）と、
前記第１の相関信号の周波数調整を実行して、調整済み相関信号を生成するステップ（１１２）と、
前記調整済み相関信号を前記第２の相関信号と結合して、相関周波数調整済み信号を生成するステップ（１１８）とを含む、前記方法。
【請求項１６】
前記第１の特徴部が、１次ＳＣＨチャネルのａシーケンスに対応する、請求項１５に記載の方法。
【請求項１７】
前記第２の特徴部が、２次ＳＣＨチャネルのｂシーケンスに対応する、請求項１５に記載の方法。
【請求項１８】
前記第１の相関信号の虚数部の複素共役を決定するステップをさらに含む、請求項１５に記載の方法。
【請求項１９】
前記第１の相関信号に１次同期コード（ＰＳＣ）シーケンスを乗算して、中間調整相関信号を生成するステップをさらに含む、請求項１５に記載の方法。
【請求項２０】
前記中間調整相関信号の虚数部の複素共役を決定して、前記調整相関信号の虚数部を形成するステップをさらに含む、請求項１５に記載の方法。
【発明の詳細な説明】
【技術分野】
【０００１】
本発明は、受信した符号分割多重アクセス（ＣＤＭＡ）信号の処理に関する。
【背景技術】
【０００２】
本項は、以下の説明および／または特許請求の範囲に記述する本発明の様々な態様に関係すると考えられる様々な態様の技術を読者に紹介することを目的とするものである。ここでの説明は、本発明の様々な態様に対する理解を深めるための背景情報を読者に与えるのに有効であると考えられる。従って、これらの記述は、こうした観点で読まれるべきものであり、従来技術を承認するものとして読まれるべきものではないことを理解されたい。
【０００３】
無線通信デバイスの製造業者らは、無線システムを設計する際に幅広い選択肢の中から伝送技術を選択することができる。いくつか例を挙げると、時分割多重アクセス（ＴＤＭＡ）や符号分割多重アクセスなどの技術がある。直接シーケンス・スペクトラム拡散技術で通常実施されるＣＤＭＡは、携帯電話などの通信システムで非常に普及している。
【０００４】
ＣＤＭＡシステムでは、音声信号内の全ての音声ビットに対してコードまたはシンボルが割り当てられる。これらのシンボルは、一定の周波数スペクトルにわたって符号化され、受信機に伝送される。符号化されたＣＤＭＡ信号は、受信されると、復号され再アセンブルされて、元の音声信号を表す信号になる。
【０００５】
受信したＣＤＭＡ信号の処理においては、周波数オフセットが存在する場合に、長いシンボルを検出することが困難となることもある。周波数オフセットが存在する場合にはシンボルを構成するチップ（各チップは拡散コード中の１ビットに等しい）が回転しやすい可能性があるので、これらのチップが、１つのシンボルを構成する間に複素平面で完全に回転する可能性がある。これが起こると、これらのチップは、弱め合うように結合して、極めて小さな相関ピークしか生じない可能性がある。この問題を解決する１つの方法としては、周波数同期ブロックをハードウェアで実現する方法があるが、この解決策は、より大きな周波数オフセットを許容できるようにするためには費用がかかることがあり、望ましくない。さらに費用のかかるハードウェア解決策は存在しないので、受信機は、比較的小さな周波数オフセットが存在する場合に長いシンボルを検出することしかできない。比較的大きな周波数オフセットが存在する場合に長いシンボルを検出する改良された方法および装置があることが望ましい。
【発明の開示】
【０００６】
（発明の概要）
開示する実施形態は、受信信号の相関を実行する方法および装置に関する。第１の相関器は、受信信号の第１の特徴部の実数部について相関をとって、第１の実数相関信号を生成することができる。第２の相関器は、受信信号の第１の特徴部の虚数部について相関をとって、第１の虚数相関信号生成することができる。第３の相関器は、受信信号の第２の特徴部の実数部について相関をとって、第２の実数相関信号を生成することができる。第４の相関器は、受信信号の第２の特徴部の虚数部について相関をとって、第２の虚数相関信号を生成することができる。論理部は、第１の実数相関信号に対応する信号、第１の虚数相関信号に対応する信号、第２の実数相関信号および第２の虚数相関信号を結合して、周波数調整信号の実数部および周波数調整信号の虚数部を生成することができる。
【発明を実施するための最良の形態】
【０００７】
以下では、本発明の１つまたは複数の具体的な実施形態について説明する。これらの実施形態についての説明を簡潔にするため、本明細書では、実際の実施態様の全ての特徴について説明しているわけではない。任意の工学プロジェクトまたは設計プロジェクトなど、いかなる実際の実施態様の開発においても、システム関係の制約およびビジネス関係の制約の順守など、実施態様ごとに様々になり得る開発者の特有の目的を達成するために、当該実施態様に特有の決定が数多くなされる可能性があることを理解されたい。さらに、このような開発努力は、複雑且つ時間がかかることもあるが、本開示の特典を有する当業者にとっては、通常通りの設計、製作および製造の作業となるであろうことを理解されたい。
【０００８】
図１は、本発明の実施形態を利用することができる例示的なＣＤＭＡ受信機を示すブロック図である。このＣＤＭＡ受信機は、全体を参照番号１０で示す。アナログＣＤＭＡ信号は、受信された後で、アナログ・ディジタル変換器１２によってディジタル信号に変換される。アナログ・ディジタル変換器１２のディジタル出力は、整合フィルタ１４に送出される。整合フィルタ１４は、伝送信号の形状に一致した信号を生成する。
【０００９】
整合フィルタ１４の出力は、タップ付き遅延線１６に送出され、タップ付き遅延線１６は、受信機の様々な構成要素に対して出力を供給する。タップ付き遅延線１６の様々なタップは、ＣＤＭＡ受信機１０の動作の同期をとるように調整することができる。
【００１０】
タップ付き遅延線１６の１つの出力は、セル・サーチ・ブロック１８に送出される。セル・サーチ・ブロックは、携帯電話などの移動端末を基地局と同期させるために、ユニバーサル移動通信システム（ＵＭＴＳ）／広帯域符号分割多重アクセス（ＷＣＤＭＡ）などの第３世代（３Ｇ）の無線通信標準に準拠した受信機に実現することができる。セル・サーチ・ブロック１８は、ユーザの電話が最初にオンになったとき、または基地局との同期が失われたとき（例えばトンネルを通過した後など）に、同期を実行することができる。
【００１１】
ＵＭＴＳ／ＷＣＤＭＡ標準では、１次同期チャネル（ＳＣＨ）および共通パイロット・チャネル（ＣＰＩＣＨ）はともに、２５６チップの長さを有する。１次ＳＣＨチャネルは、疎（ｓｐａｒｓｅ）なチャネルであり、各２５６０チップ・スロットの最初の２５６チップの間のデータのみを含む。同じデータがフレーム内の全てのスロットで繰り返され、全てのフレームは同じ１次ＳＣＨチャネルを搬送する。さらに、ＷＣＤＭＡシステムの全てのセルは、同じ１次ＳＣＨチャネルを伝送する。移動端末が１次ＳＣＨチャネルを獲得すると、受信機では、チップ、シンボルおよびスロットの同期が得られることになる。しかし、１次ＳＣＨは全てのスロットに同じデータを含むので、１フレーム内の全てのスロットが同じであり、従ってそれらを使用してフレーム開始位置を決定することができないことから、１次ＳＣＨを使用してフレーム同期を行うことはできない。
【００１２】
ＳＣＨチャネル（１次ＳＣＨおよび２次ＳＣＨの両方）のデータの符号を使用して、ダウンリンク１次共通制御物理チャネル（Ｐ−ＣＣＰＣＨ）に対して時空間送信ダイバーシチ（ＳＴＴＤ）符号化が使用されているか否かを移動端末に対して示す。これらのアルゴリズムは信号の相関の大きさのみを処理するものであるから、ＳＣＨチャネルの極性は、セル・サーチ・プロセスに影響を及ぼさない。
【００１３】
１次ＳＣＨチャネルで伝送される信号は、１次同期コード（ＰＳＣ）と呼ばれ、階層ゴレイ・シーケンス（ｈｉｅｒａｒｃｈｉｃａｌ  Ｇｏｌａｙ  ｓｅｑｕｅｎｃｅ）で構成される。このシーケンスが選択されたのは、良好な非周期的自己相関特性を有するからである。このシーケンスのもう１つの望ましい特徴は、複雑さの低い整合フィルタを使用して処理することができることである。整合フィルタの複雑さを軽減することができるのは、このシーケンスが階層の性質を有するからである。
【００１４】
２次ＳＣＨチャネルは、ＵＭＴＳシステムの全てのセルで異なり、その目的は、受信機がフレーム同期を得、現在のセルで使用されているスクランブル・コード・グループを知る助けとなることである。１次ＳＣＨチャネルと同様に、２次ＳＣＨチャネルも、各スロットの最初の２５６チップの間にのみ伝送される。１つのフレームの各スロットは、２次同期コード（ＳＳＣ）を含む。全体で１６個のＳＳＣが存在することができる。これらのＳＳＣは、複素数値であり、アダマール・シーケンスに基づく。
【００１５】
ＣＰＩＣＨは、現在のセルのスクランブル・コードでスクランブルされた既知のトレーニング・シーケンスを含む連続的なダウンリンク・パイロット信号である。使用されるトレーニング・シーケンスは、定数１＋ｊである。ＳＣＨチャネルとは異なり、ＣＰＩＣＨは、各フレームの持続時間全体にわたって伝送される連続的な信号である。正しいスクランブル・コード・グループが決定されると、受信機は、所与のコード・グループ内の８個の異なるスクランブル・コードのそれぞれを用いてＣＰＩＣＨに対する相関をとり、現在のセルに対する適切なスクランブル・コードを見つけ出すことができる。
【００１６】
セル・サーチ・ブロック１８は、少なくとも２つの機能を実行する。第１に、セル・サーチ・ブロック１８は、１次ＳＣＨチャネルを獲得してスロット同期を行う。ＵＭＴＳフレーム（持続時間１０ｍｓ）は、３８４００チップからなる。フレームは１５個のスロットから構成され、各スロットの長さは２５６０チップである。セル・サーチ・ブロック１８でスロット同期が得られた後は、ＣＤＭＡ受信機１０はスロット境界を認識しているが、フレームの開始時についてはまだ認識していない。第２に、セル・サーチ・ブロック１８はその後に２次ＳＣＨチャネルを獲得して、フレーム同期を行う。
【００１７】
同時に、２次ＳＣＨチャネルを獲得することにより、どのダウンリンク・スクランブル・コード・グループが伝送されているかが一意的に決定される。各コード・グループは、８個の可能なスクランブル・コードを含み、このブロックは、そのそれぞれに対して相関をとり、どのスクランブル・コードが最大のピークを有する（従って伝送されている可能性が最も高い）かを決定する。決定がなされると、ＣＤＭＡ受信機１０のその他のブロックは、このスクランブル・コードを用いて基地局に同調することができる。セル・サーチ・ブロック１８による２次ＳＣＨチャネルの識別については、以下で図２および図３を参照してさらに詳細に説明する。
【００１８】
タップ付き遅延線１６は、第２の出力をサーチャ・ブロック２０に送出する。スクランブル・コード生成器２６も、サーチャ・ブロック２０に信号を送出する。サーチャ・ブロック２０は、受信したサンプルを様々に遅延させたスクランブル・コードに対して相関をとる。当該スクランブル・コードを様々にオフセットした相関出力をモニタすることにより、このブロックは、受信機がデータを受信することができるマルチパス信号を表すピークを探索する。
【００１９】
ＣＤＭＡ受信機１０は、１〜Ｎの複数のフィンガ回路２２、２４を含むことができる。フィンガ回路２２、２４は、タップ付き遅延線１６、スクランブル・コード生成器２６および拡散コード生成器２８からの入力を受信することができる。ＵＭＴＳで必要とされるものなどの拡散スペクトラムＣＤＭＡシステムでは、データ・ビットを使用して、様々な長さの拡散コードを変調する。長さ２５６の拡散コードを１ビットで変調する場合には、データ・レートは低くなる（１ビットの送信に２５６チップかかるため）が、処理利得は高くなる（長さ２５６のシーケンスに対して相関をとることによる相関利得のため）。長さ４の拡散コードを１ビットで変調する場合には、データ・レートは高くなる（４チップごとに１ビット送信することができるため）が、処理利得は低くなる（短い４チップ・シーケンスに対して相関をとってもそれほどの相関利得がないため）。
【００２０】
各フィンガ回路２２、２４は、サーチャ・ブロック２０が発見したピークにドロップ（ｄｒｏｐ）することができる。各フィンガ回路２２、２４は、受信サンプルと所与の量だけ遅延させたスクランブル・コードに対して相関をとる相関器を含むことができる。フィンガ回路２２、２４は、データを逆拡散することができる。
【００２１】
フィンガ回路２２、２４の出力は、極大比率コンバイナ（ＭＲＣ）３０に送出される。ＭＲＣ３０は、各フィンガ（同一のダウンリンク伝送信号の異なるマルチパス状態に対応する）からサンプルを得、これらのサンプルをそのパイロットの分だけ回転させて信号位相を整列させ、これらを結合して、ＣＤＭＡ受信機１０によって処理される伝送シンボルの推定値を形成する。
【００２２】
セル・サーチ・ブロック１８、サーチャ・ブロック２０およびＭＲＣ３０の出力は、さらに処理するために、組込み型プロセッサ（図示せず）に送出することができる。上述のように、図２は、さらに、受信したＷＣＤＭＡ信号の２次ＳＣＨチャネルの相関をとるセル・サーチ・ブロック１８の動作を説明する図である。
【００２３】
図２Ａおよび図２Ｂからなる図２は、本発明の１実施形態によるセル・サーチ・ブロックで利用することができる２次ＳＣＨ相関ブロックを示すブロック図である。図２Ａおよび図２Ｂの何れにおいても、２次ＳＣＨ相関ブロックは、その全体を参照番号１００で示してある。２次ＳＣＨ相関ブロック１００は、１次ＳＣＨチャネルについての相関の出力を使用して、２次ＳＣＨチャネルについての相関の第２のステージを行う前に適用される周波数調整量を導出することができる。従って、第２のＳＣＨ検出アルゴリズムは、通常生じうる周波数オフセットよりはるかに大きな周波数オフセットがある状態で作用する可能性がある。
【００２４】
まず図２Ａを参照すると、２次ＳＣＨ相関ブロック１００は、その動作の同期をとるためのクロック信号１０２を含む。また、例えば初期化時に２次ＳＣＨ相関ブロック１００をリセットするために使用することができるリセット信号１０４も含まれる。
【００２５】
２次ＳＣＨチャネルは、階層シーケンスとして設計される。このチャネルの受信は、最初に階層シーケンスの１つに対して相関をとることによって行われる。次いで、この相関器の出力について、第２の階層シーケンスに対して相関をとる。通常は、第１の相関は、２次ＳＣＨチャネルのｂシーケンス（ＵＭＴＳ／ＷＣＤＭＡ標準において定義される）に関するものであり、第２の相関は、Ｈｚシーケンス（ＵＭＴＳ／ＷＣＤＭＡ標準において定義される）に関するものである。
【００２６】
ダウン・サンプル・ブロック１０６は、（例えばタップ突き遅延線１６（図１）から）受信サンプルを受信する。受信サンプルは、実数部（ｒｘ＿ｓａｍｐ＿ｒｅ）および虚数部（ｒｘ＿ｓａｍｐ＿ｉｍ）を含むことができる。ダウン・サンプル・ブロック１０６の出力の実数部（ｄｏｗｎｓａｍｐｌｅ＿ｒｅ）は、ＰＳＣ相関器１０８およびＳＳＣ・ｂ相関器１１４に送出される。ダウン・サンプル・ブロック１０６の出力の虚数部（ｄｏｗｎｌｏａｄ＿ｉｍ）は、ＰＳＣ相関器１１０およびＳＳＣ・ｂ相関器１１６に送出される。ＰＳＣ相関器１０８の出力（ｐｓｃ＿ｃｏｒｒ＿ｒｅ）およびＰＳＣ相関器１１０の出力（ｐｓｃ＿ｃｏｒｒ＿ｉｍ）は、ＰＳＣ周波数調整ブロック１１２に送出される。
【００２７】
ＰＳＣ周波数調整ブロック１１２の出力は、実数部（ｆｒｅｑ＿ａｄｊ＿ｒｅ）および虚数部（ｆｒｅｑ＿ａｄｊ＿ｉｍ）を含み、乗算器１１８に送出される。ＳＳＣ・ｂ相関器１１４およびＳＳＣ・ｂ相関器１１６の出力も、乗算器１１８に送出される。
【００２８】
ＰＳＣ相関器１０８および１１０は、１次ＳＣＨチャネルのａシーケンス（ＵＭＴＳ／ＷＣＤＭＡ標準において定義される）に対して相関をとる。この相関は、ＳＳＣ・ｂ相関器１１４および１１６の動作と同時に行われる。ＰＳＣ周波数調整ブロック１１２は、複素数値サンプル（ＳＳＣ・ｂシーケンス相関周期ごとに１つ）を計算し、この複素数値サンプルは、乗算器１１８でＳＳＣ・ｂ相関器の出力と乗算され、その後、乗算器１１８の出力が、ＳＳＣ・Ｈｚ相関器（図２Ｂ参照）によってさらに処理するために送出される。この調整因子は、サンプルを回転させて、周波数オフセットによる回転を補正するものである。
【００２９】
図２Ｂを参照すると、乗算器１１８の出力の実数部（ｍｕｌｔ＿ｒｅ）は、ＳＳＣ・Ｈｚ相関器１２０に送出され、乗算器１１８の出力の虚数部（ｍｕｌｔ＿ｉｍ）は、ＳＳＣ・Ｈｚ相関器１２２に送出される。ＳＳＣ・Ｈｚ相関器１２０の出力（ｐｓｃ＿ｃｏｒｒ２＿ｒｅ）およびＳＳＣ・Ｈｚ相関器１２２の出力（ｐｓｃ＿ｃｏｒｒ２＿ｉｍ）は、非干渉性コンバイナ１２４に送出される。非干渉性コンバイナ１２４の出力（ｃｏｍｂｉｎｅｒ＿ｏｕｔ）は、フレーム・バッファ・アキュムレータ１２６に送出される。
【００３０】
フレーム・バッファ・アキュムレータ１２６の出力（ａｃｃｕｍ＿ｏｕｔ）は、ＳＳＣピーク・ロケータ１２８に送出される。ＳＳＣピーク・ロケータ１２８の出力（ｓｓｃ＿ｐｅａｋｓ）は、ＳＳＣピーク検出器１３０に送出される。ＳＳＣピーク検出器１３０は、ｓｃｒａｍ＿ｃｏｄｅ＿ｇｒｏｕｐおよびｓｌｏｔ＿ｏｆｆｓｅｔを出力し、これらの出力がさらなる処理に使用される。
【００３１】
図３は、本発明の１実施形態によるＰＳＣ周波数調整ブロックを示すブロック図である。図３に示すＰＳＣ周波数調整ブロックは、ＰＳＣ周波数調整ブロック１１２（図２）に相当するものであるため、参照番号１１２で示してある。
【００３２】
ＰＳＣ周波数調整ブロック１１２は、ＰＳＣ相関器１０８から信号ｐｓｃ＿ｃｏｒｒ＿ｒｅを受信し、ＰＳＣ相関器１１０から信号ｐｓｃ＿ｃｏｒｒ＿ｉｍを受信する。信号ｐｓｃ＿ｃｏｒｒ＿ｒｅは、複素乗算ブロック２０４に送出される。信号ｐｓｃ＿ｃｏｒｒ＿ｉｍは、符号フリップ・ブロック２０２に送出され、符号フリップ・ブロック２０２は、信号ｐｓｃ＿ｃｏｒｒ＿ｉｍの複素共役を決定する。符号フリップ・ブロック２０２の出力は、複素乗算ブロック２０４に送出される。複素乗算ブロック２０４は、受信した信号に、記憶した第２レイヤのＰＳＣシーケンス２０６を乗算する。この記憶したシーケンスは、図３に示すように、１６個のサンプルを含むことができる。
【００３３】
複素乗算ブロック２０４の実数出力は、図２Ａに示す信号ｆｒｅｑ＿ａｄｊ＿ｒｅに対応する。複素乗算ブロック２０４の出力の虚数部は、その複素共役を求める符号フリップ・ブロック２０８に送出される。符号フリップ・ブロック２０８の出力は、図２Ａに示す信号ｆｒｅｑ＿ａｄｊ＿ｉｍに対応する。
【００３４】
本発明は、様々な変更を加えることができ、また様々な代替形態を有することができるが、例示を目的として具体的な実施形態を図面に示し、本明細書で詳細に説明した。ただし、本発明は、開示した特定の形態に限定されるものではないことを理解されたい。本発明は、添付の特許請求の範囲に定義される本発明の趣旨および範囲内に含まれる全ての変形形態、均等物および代替物をカバーするものである。
【図面の簡単な説明】
【００３５】
【図１】本発明の実施形態を利用することができる例示的なＣＤＭＡ受信機を示すブロック図である。
【図２Ａ】本発明の一実施形態によるセル・サーチ・ブロックで利用することができる２次同期チャネル相関ブロックを示すブロック図である。
【図２Ｂ】本発明の一実施形態によるセル・サーチ・ブロックで利用することができる２次同期チャネル相関ブロックを示すブロック図である。
【図３】本発明の一実施形態による１次同期コード（ＰＳＣ）周波数調整ブロックを示すブロック図である。
【図１】
2007525101.tif 000003
【図２Ａ】
2007525101.tif 000004
【図２Ｂ】
2007525101.tif 000005
【図３】
2007525101.tif 000006
【国際調査報告】
2007525101.tif 000007
2007525101.tif 000008